(57)【要約】  人の、例えば、人に提供される眼科用レンズのジオプトリックパラメータの決定方法であって、この方法は、決定されるジオプトリックパラメータの特定の値を有するジオプトリック機能を有したテスト光学素子が、人に提供され、及び人が、テスト光学素子を使用して視対象を見るように求められる、セットアップステップと、評価データ及び確実性データが収集されるデータ収集ステップであって、評価データが、テスト光学素子を使用して視対象を見ている人によって表現された視覚アセスメントを示し、及び確実性データが、視覚アセスメントを表現する際の人の確信度を示す、データ収集ステップと、を含み、セットアップステップ及びデータ収集ステップは、テスト光学素子のジオプトリックパラメータの値を変えることによって繰り返され、この方法は、セットアップ及びデータ収集ステップ中にテストしたジオプトリックパラメータの各値に対して、人の確信度の値が決定され、及び人のジオプトリックパラメータの値が、人の確信度の値に基づいて決定される、グローバル解析ステップをさらに含む、方法。
2019523050.tif 000002
【特許請求の範囲】
【請求項１】
人の、例えば、人に提供される眼科用レンズのジオプトリックパラメータの決定方法であって、前記方法が、
決定される前記ジオプトリックパラメータの特定の値を有するジオプトリック機能を有したテスト光学素子が、前記人に提供され、及び前記人が、前記テスト光学素子を使用して視対象を見るように求められる、セットアップステップと、
評価データ及び確実性データが収集されるデータ収集ステップであって、前記評価データが、前記テスト光学素子を使用して前記視対象を見ている前記人によって表現された視覚アセスメントを示し、及び確実性データが、前記視覚アセスメントを表現する際の前記人の確信度を示す、データ収集ステップと、
を含み、
前記セットアップステップ及び前記データ収集ステップが、前記テスト光学素子の前記ジオプトリックパラメータの前記値を変えることによって繰り返され、
前記方法が、前記セットアップステップ及び前記データ収集ステップを繰り返した後に、
前記セットアップ及びデータ収集ステップ中にテストした前記ジオプトリックパラメータの各値に対して、前記人の確信度の値が決定され、及び前記人の前記ジオプトリックパラメータの前記値が、前記人の確信度の前記値に基づいて決定される、グローバル解析ステップをさらに含む、方法。
【請求項２】
前記グローバル解析ステップ中に、確信範囲が決定され、前記確信範囲が、前記人の前記確信度が、所定の値の範囲内、例えば５０％以内である前記ジオプトリックパラメータの値の範囲に対応する、請求項１に記載の方法。
【請求項３】
前記グローバル解析ステップが、前記確信範囲の下限及び上限に対応する第１のジオプトリックパラメータ値及び第２のジオプトリックパラメータ値を決定することをさらに含み、前記人の前記ジオプトリックパラメータの前記値が、前記第１のジオプトリックパラメータ値及び第２のジオプトリックパラメータ値から決定される、請求項２に記載の方法。
【請求項４】
前記セットアップステップ及び前記収集ステップが、少なくとも、前記人の確信度の少なくとも３つの異なる値を取得するまで、及び／又は前記セットアップステップ及び前記収集ステップが、所定の値に等しい回数繰り返されるまで、繰り返される、請求項１〜３の何れか一項に記載の方法。
【請求項５】
前記方法が、前記セットアップステップ及び前記データ収集ステップと共に繰り返される中間解析ステップをさらに含み、前記中間解析ステップ中に、次のセットアップステップ中に前記人に提供される前記テスト光学素子の前記ジオプトリックパラメータの値を決定するために、少なくとも前記評価データが解析される、請求項１〜４の何れか一項に記載の方法。
【請求項６】
前記中間解析ステップ中に、前記次のセットアップステップ中に前記人に提供される前記テスト光学素子の前記ジオプトリックパラメータの前記値が、前記収集された確実性データを解析することによってさらに決定される、請求項５に記載の方法。
【請求項７】
前記中間解析ステップ中に、前記ジオプトリックパラメータの対応する前記テスト値に関する前記確信度の中間値が、前記ジオプトリックパラメータの前記テスト値に関して収集された全ての以前の前記確実性データに基づいて決定される、請求項５又は６に記載の方法。
【請求項８】
前記中間解析ステップ中に、中間確信範囲が決定され、前記中間確信範囲が、前記人の前記中間確信度が所定の値の範囲内にある前記ジオプトリックパラメータの値の範囲に対応する、請求項７に記載の方法。
【請求項９】
前記次のセットアップステップ中に前記人に提供される前記テスト光学素子の前記ジオプトリックパラメータの前記値が、前記確信度の前記中間値及び／又は前記中間確信範囲にさらに基づく、請求項７又は８に記載の方法。
【請求項１０】
前記ジオプトリックパラメータが、球面度数、及び／若しくは円柱度数、及び／若しくは軸度、及び／若しくはプリズム、及び／若しくは加入度数、並びに／又は前記球面度数、及び／若しくは前記円柱度数、及び／若しくは前記軸度、及び／若しくは前記プリズム、及び／若しくは前記加入度数の１つに関連する確信範囲に対応する、請求項１〜９の何れか一項に記載の方法。
【請求項１１】
前記確実性データが、前記人の音声表現の音響パラメータから確信レベルを推定するモデルに基づく、請求項１〜１０の何れか一項に記載の方法。
【請求項１２】
前記確実性データが、前記視覚刺激が、彼／彼女に提供された後に、前記人が前記視覚アセスメントを表現するのにかかる継続時間の測定に基づく、請求項１〜１１の何れか一項に記載の方法。
【請求項１３】
前記人が、圧力センサに圧力をかけることによって、前記視覚アセスメントを表現し、及び前記確実性データが、前記圧力センサに対して前記人がかけた圧力の強度の測定に基づく、請求項１〜１２の何れか一項に記載の方法。
【請求項１４】
前記セットアップステップ中に、前記視対象が、少なくとも二度、前記人に提示される、請求項１〜１３の何れか一項に記載の方法。
【請求項１５】
前記ジオプトリックパラメータの前記値が、前記ジオプトリックパラメータの前記テスト値及び確信度の事前に規定された値に基づいた前記確信度の代表曲線から決定される、請求項１〜１４の何れか一項に記載の方法。
【請求項１６】
前記グローバル解析ステップが、前記確信度の前記代表曲線の補間を決定することをさらに含み、前記人の前記ジオプトリックパラメータの前記値が、前記補間から決定される、請求項１５に記載の方法。
【請求項１７】
前記グローバル解析ステップが、前記確信度の前記代表曲線にパラメータ関数をフィッティングさせることをさらに含み、及び前記人の前記ジオプトリックパラメータの前記値が、前記フィッティングされたパラメータ関数のパラメータから決定される、請求項１５又は１６に記載の方法。
【請求項１８】
前記人によって表現される前記視覚アセスメントが、２つの視覚状態中の好ましい視覚状態を示すことに対応する、請求項１〜１７の何れか一項に記載の方法。
【請求項１９】
前記セットアップステップ及び前記収集ステップが、少なくとも、２つの連続する中間確信範囲間の差が、所定の値、例えば、０．０５Ｄ以下となるまで繰り返される、請求項８に記載の方法。
【請求項２０】
前記セットアップステップ及び前記収集ステップが、少なくとも、前記テスト光学素子の前記ジオプトリックパラメータの２つの連続する値間の差が、所定の値、例えば、０．０５Ｄ以下となるまで繰り返される、請求項１〜１９の何れか一項に記載の方法。
【請求項２１】
前記セットアップステップ及び前記収集ステップが、少なくとも、２つの後続のセットアップステップ間の前記ジオプトリックパラメータの前記値の変化の方向の回数が、所定の数、例えば、２、４、又は６に達するまで繰り返される、請求項１〜２０の何れか一項に記載の方法。
【請求項２２】
前記確実性データが、少なくとも２つのレベルの段階で表現される、請求項１〜２１の何れか一項に記載の方法。
【請求項２３】
前記確実性データが、主観的確信度及び／又は客観的確信度である、請求項１〜２２の何れか一項に記載の方法。
【請求項２４】
前記セットアップステップ中に、前記視対象が、一度だけ前記人に提示される、請求項１〜２３の何れか一項に記載の方法。
【請求項２５】
前記ジオプトリックパラメータの各値に対して、前記人の確信度の値が、前記ジオプトリックパラメータの当該値に関して収集された確信データの平均値として決定される、請求項１〜２４の何れか一項に記載の方法。
【請求項２６】
人に提供される眼科用レンズのジオプトリックパラメータの変化に対する前記人の感度に対応する前記人のジオプトリック感度の決定方法であって、前記方法が、
決定される前記ジオプトリックパラメータの特定の値を有するジオプトリック機能を有したテスト光学素子が、前記人に提供され、及び前記人が、前記テスト光学素子を使用して視対象を見るように求められる、セットアップステップと、
評価データ及び確実性データが収集されるデータ収集ステップであって、前記評価データが、前記テスト光学素子を使用して前記視対象を見ている前記人によって表現された視覚アセスメントを示し、及び確実性データが、前記視覚アセスメントを表現する際の前記人の確信度を示す、データ収集ステップと、
を含み、
前記セットアップステップ及び前記データ収集ステップが、前記テスト光学素子の前記ジオプトリックパラメータの前記値を変えることによって繰り返され、
前記方法が、
前記セットアップ及びデータ収集ステップ中にテストした前記ジオプトリックパラメータの各値に対して、前記人の確信度の値が決定され、及び前記人の前記ジオプトリック感度の値が、前記人の前記確信度が所定の値の範囲内にある前記ジオプトリックパラメータの値の範囲に対応する確信範囲に基づいて決定される、グローバル解析ステップをさらに含む、方法。
【発明の詳細な説明】
【技術分野】
【０００１】
本発明は、人の（例えば、人に提供される眼科用レンズの）ジオプトリックパラメータの決定方法、及び人に提供される眼科用レンズのジオプトリックパラメータの変化に対する人の感度に対応した人のジオプトリック感度の決定方法に関する。
【背景技術】
【０００２】
通常、光学器具を所有することを望む人は、アイケアの開業医（ＥＣＰ）を訪ねる。
【０００３】
装着者の処方箋の決定には、複雑且つ時間のかかる測定を実施する必要がある場合がある。このような測定を行うには、通常、複雑且つ費用がかかる用具、及びアイケアの開業医などの有資格者が必要である。
【０００４】
従来の測定は、アイケアの開業医側の豊富な経験が、効率的且つ迅速であることを必要とする。このような測定は、アイケアの開業医が、提供された答えを評価するために、人の反応を正しく判断することを必要とする。このとき、従来の測定の結果は、アイケアの開業医に大きく依存する。
【０００５】
既存の適応心理物理学的手順、例えば、階段現象、一定の刺激、プシーアルゴリズム手順は、鮮明度又はコントラストなどの知覚閾値を決定するための強力なツールであり、人の処方箋を迅速且つ正確に推定するための優れた代替方法となり得る。しかし、このような方法は、長すぎるか、あるいは人が不確かであり、思い付きの答え又は間違った答えを出す場合には、人の処方箋を測定するためにアイケアの開業医によって使用されるには、不向きである。このような方法は、非常に正確なジオプトリックパラメータの決定を行う必要がある場合、例えば、０．２５Ｄ未満の度数で測定を行う必要がある場合に、さらにより長くなり、適応しない。
【０００６】
従って、人の処方箋の少なくとも一部をより効率的に測定することを可能にする方法が必要とされる。
【０００７】
本発明の目的の１つは、このような方法を提供することである。
【発明の概要】
【課題を解決するための手段】
【０００８】
この目的のために、本発明は、人の、例えば、人に提供される眼科用レンズのジオプトリックパラメータの決定方法を提案し、この方法は、
−  決定されるジオプトリックパラメータの特定の値を有するジオプトリック機能を有したテスト光学素子が、人に提供され、及び人が、テスト光学素子を使用して視対象を見るように求められる、セットアップステップと、
−  評価データ及び確実性データが収集されるデータ収集ステップであって、評価データが、テスト光学素子を使用して視対象を見ている人によって表現された視覚アセスメントを示し、及び確実性データが、視覚アセスメントを表現する際の人の確信度を示す、データ収集ステップと、
を含み、
セットアップステップ及びデータ収集ステップは、テスト光学素子のジオプトリックパラメータの値を変えることによって繰り返され、及び
この方法は、
−  セットアップ及びデータ収集ステップ中にテストしたジオプトリックパラメータの各値に対して、人の確信度の値が決定され、及び人のジオプトリックパラメータの値が、人の確信度の値に基づいて決定される、グローバル解析ステップをさらに含む。
【０００９】
本発明の方法は、有利には、人のジオプトリックパラメータの測定をより正確に、より高速に、及びよりロバストにすることによって、このような測定を向上させることを可能にする。
【００１０】
測定をより高速にすることにより、人の疲労及びストレス（これらは、測定を変える可能性がある）を軽減することが可能となる。
【００１１】
さらに、本発明の方法は、人に提供される眼科用レンズのジオプトリックパラメータの変化に対する人の感度に対応した人のジオプトリック感度を示すことを提供することができ、及び新しいジオプトリックパラメータにおいて良好な承認を提供することができる。
【００１２】
単独又は組み合わせて考慮することができるさらなる実施形態によれば、
−  グローバル解析ステップ中に、確信範囲が決定され、確信範囲は、人の確信度が、所定の値の範囲内、例えば５０％以内であるジオプトリックパラメータの値の範囲に対応し、及び／又は
−  グローバル解析ステップが、確信範囲の下限及び上限に対応する第１のジオプトリックパラメータ値及び第２のジオプトリックパラメータ値を決定することをさらに含み、人のジオプトリックパラメータの値は、第１のジオプトリックパラメータ値及び第２のジオプトリックパラメータ値から決定され、及び／又は
−  ジオプトリックパラメータの値が、ジオプトリックパラメータのテスト値及び確信度の事前に規定された値に基づいた前記確信度の代表曲線から決定され、及び／又は
−  グローバル解析ステップが、前記確信度の代表曲線の補間を決定することをさらに含み、人のジオプトリックパラメータの値は、前記補間から決定され、及び／又は
−  グローバル解析ステップが、前記確信度の代表曲線にパラメータ関数をフィッティングさせることをさらに含み、及び人のジオプトリックパラメータの値が、前記フィッティングされたパラメータ関数のパラメータから決定され、及び／又は
−  セットアップステップ及び収集ステップが、少なくとも、人の確信度の少なくとも３つの異なる値を取得するまで、及び／又はセットアップステップ及び収集ステップが、所定の値に等しい回数繰り返されるまで、繰り返され、及び／又は
−  人によって表現される視覚アセスメントが、２つの視覚状態中の好ましい視覚状態を示すことに対応し、及び／又は
−  方法が、セットアップステップ及びデータ収集ステップと共に繰り返される中間解析ステップをさらに含み、中間解析ステップ中に、次のセットアップステップ中に人に提供されるテスト光学素子のジオプトリックパラメータの値を決定するために、少なくとも評価データが解析され、及び／又は
−  中間解析ステップ中に、次のセットアップステップ中に人に提供されるテスト光学素子のジオプトリックパラメータの値が、確実性データを解析することによってさらに決定され、及び／又は
−  中間解析ステップ中に、ジオプトリックパラメータの対応するテスト値に関する確信度の中間値が、ジオプトリックパラメータの前記テスト値に関して収集された全ての以前の確実性データに基づいて決定され、及び／又は
−  中間解析ステップ中に、中間確信範囲が決定され、中間確信範囲は、人の中間確信度が所定の値の範囲内にあるジオプトリックパラメータの値の範囲に対応し、及び／又は
−  次のセットアップステップ中に人に提供されるテスト光学素子のジオプトリックパラメータの値が、確信度の中間値及び／又は中間確信範囲にさらに基づき、及び／又は
−  セットアップステップ及び収集ステップが、少なくとも、２つの連続する中間確信範囲間の差が、所定の値、例えば、０．０５Ｄ以下となるまで繰り返され、及び／又は
−  セットアップステップ及び収集ステップが、少なくとも、テスト光学素子のジオプトリックパラメータの２つの連続する値間の差が、所定の値、例えば、０．０５Ｄ以下となるまで繰り返され、及び／又は
−  セットアップステップ及び収集ステップが、少なくとも、２つの後続のセットアップステップ間のジオプトリックパラメータの値の変化の方向の回数が、所定の数、例えば、２、４、又は６に達するまで繰り返され、及び／又は
−  確実性データが、少なくとも２つのレベルの段階で表現され、及び／又は
−  確実性データが、主観的確信度及び／又は客観的確信度であり、及び／又は
−  ジオプトリックパラメータが、球面度数、及び／若しくは円柱度数、及び／若しくは軸度、及び／若しくはプリズム、及び／若しくは加入度数、並びに／又は球面度数、及び／若しくは円柱度数、及び／若しくは軸度、及び／若しくはプリズム、及び／若しくは加入度数の１つに関連する確信範囲に対応し、及び／又は
−  確実性データが、人の音声表現の音響パラメータから確信レベルを推定するモデルに基づき、及び／又は
−  確実性データが、人が視覚アセスメントを表現するのにかかる時間の測定に基づき、及び／又は
−  人が、圧力センサに圧力をかけることによって、視覚アセスメントを表現し、及び確実性データが、人による前記圧力センサに対する圧力の強度の測定に基づき、及び／又は
−  セットアップステップ中に、視対象が、一度だけ人に提示される。
−  セットアップステップ中に、視対象が、少なくとも二度、人に提示され、及び／又は
−  ジオプトリックパラメータの各値に対して、人の確信度の値が、ジオプトリックパラメータの当該値に関して収集された確信データの平均値として決定される。
【００１３】
本発明はまた、人に提供される眼科用レンズのジオプトリックパラメータの変化に対する人の感度に対応する人のジオプトリック感度の決定方法に関し、この方法は、
−  決定されるジオプトリックパラメータの特定の値を有するジオプトリック機能を有したテスト光学素子が、人に提供され、及び人が、テスト光学素子を使用して視対象を見るように求められる、セットアップステップと、
−  評価データ及び確実性データが収集されるデータ収集ステップであって、評価データが、テスト光学素子を使用して視対象を見ている人によって表現された視覚アセスメントを示し、及び確実性データが、視覚アセスメントを表現する際の人の確信度を示す、データ収集ステップと、
を含み、
セットアップステップ及びデータ収集ステップが、テスト光学素子のジオプトリックパラメータの値を変えることによって繰り返され、
この方法は、
−  セットアップ及びデータ収集ステップ中にテストしたジオプトリックパラメータの各値に対して、値人の確信度が決定され、及び人のジオプトリック感度の値が、人の確信度が所定の値の範囲内にあるジオプトリックパラメータの値の範囲に対応する確信範囲に基づいて決定される、グローバル解析ステップをさらに含む。
【００１４】
本発明はさらに、プロセッサにアクセス可能であり、及びプロセッサによって実行されると、プロセッサに、少なくとも本発明による方法のステップを行わせる、１つ又は複数の保存された命令シーケンスを含むコンピュータプログラムプロダクトに関する。
【００１５】
本発明はまた、記録されたプログラムを有するコンピュータ可読ストレージ媒体に関し、プログラムは、コンピュータに、少なくとも、本発明の方法のデータ収集ステップ及びグローバル解析ステップを実行させる。
【００１６】
本発明のコンピュータ可読ストレージ媒体に記録されたプログラムは、コンピュータに、さらに中間解析ステップを実行させてもよい。
【００１７】
本発明はさらに、１つ又は複数の命令シーケンスを保存し、及び少なくとも本発明による方法のステップを行うように適応させたプロセッサを含むデバイスに関する。
【００１８】
本発明の実施形態を、単なる例として、及び以下の図面を参照して、これより説明する。
【図面の簡単な説明】
【００１９】
【図１】本発明による表すフローチャートである。
【図２】本発明による確実性曲線のグラフ表現である。
【図３】本発明の一実施形態による確実性の度合いの決定を示す。
【発明を実施するための形態】
【００２０】
本発明の方法は、人の、例えば人に提供される眼科用レンズのジオプトリックパラメータを決定するためのものである。
【００２１】
ジオプトリックパラメータは、人に提供される眼科用デバイス、例えば眼科用レンズの球面度数、及び／又は円柱度数、及び／又は軸度、及び／又はプリズム、及び／又は加入度数に対応し得る。
【００２２】
本発明の方法は、人に提供される眼科用デバイス、例えば眼科用レンズの球面度数、及び／又は円柱度数、及び／又は軸度、及び／又はプリズム、及び／又は加入度数の１つに関連する、確信又は感度の範囲を決定することも可能にすることができる。
【００２３】
図１に示すように、本発明の方法は、少なくとも、
−  セットアップステップＳ１と、
−  データ収集ステップＳ２と、
−  グローバル解析ステップＳ４と、
を含む。
【００２４】
セットアップステップＳ１の間に、決定されるジオプトリックパラメータの特定の値を有するジオプトリック機能を有したテスト光学素子が、人に提供される。次いで、人は、テスト光学素子を使用して視対象を見るように求められる。
【００２５】
人は、このテストを単眼又は両眼で行ってもよい。
【００２６】
両眼テストが、調節によるエラーを減少させ、従って精度を向上させるので、望ましい場合がある。この場合、ジオプトリックパラメータは、単一の眼に対して決定されるが、視対象は、両眼で見られ、非優位眼から開始することが好ましい。
【００２７】
セットアップステップＳ１の間に、公知の屈折測定が実施されてもよい。例えば、ジャクソンクロスシリンダープロトコル又は二色テストは、セットアップテスト中に実施されてもよい。
【００２８】
例えば、テスト光学素子は、特定の球面度数を有する眼科用レンズでもよく、視対象は、赤色／緑色の背景上の黒色の字又は文字などの三色画像でもよい。人は、眼科用レンズを使用して、視対象を見ることを求められる。
【００２９】
本発明の一実施形態によれば、セットアップステップ中に、視対象は、一度だけ人に提示される。
【００３０】
代替的に、セットアップステップ中に、視対象は、少なくとも２度、人に提示される。
【００３１】
データ収集ステップＳ２中に、評価データ及び確実性データが、収集される。
【００３２】
評価データは、テスト光学素子を使用して視対象を見ている人によって表現された視覚アセスメントを示す。
【００３３】
例えば、人によって表現される視覚アセスメントは、人に提示された２つの視覚状態中の好ましい視覚状態を示すことに対応する。
【００３４】
人は、セットアップステップ中に提供されたテスト光学素子を使用して視対象を見る視覚状態を、基準視覚状態と比較することを要求される場合がある。基準視覚状態は、テスト光学素子を使用せずに、視対象を直接見ることに対応してもよい。
【００３５】
人は、２つの視対象を同時に見てもよく、人によって表現される視覚アセスメントは、これらの視対象の一方に対応してもよい。
【００３６】
例えば、ユーザが、黒色背景上の赤色文字を含む赤色対象と、黒色背景上の緑色の同じ文字を含む緑色対象とを見る場合、視覚アセスメントは、これらの対象の一方を示すことで構成されてもよい。
【００３７】
確実性データは、視覚アセスメントを表現する際の人の確信度を示す。
【００３８】
例えば、人は、視覚アセスメントを表現するときに、分からない（例えば、２つの視覚状態又は視対象間で違いがない）という事実に対応する答えを提供する場合がある。
【００３９】
本発明のある実施形態によれば、確実性データは、少なくとも２つのレベルの段階で表現される。
【００４０】
確実性データは、人が、述べた視覚アセスメントを確信しているという事実、あるいは人が、視覚アセスメントを下すことができないという事実に対応する二進値を有してもよい。
【００４１】
確実性データはさらに、「絶対的に確かである」から「完全に不確かである」まで、より多くの数のレベルを含む段階で、表現されてもよい。例えば、確実性データは、０〜１００の段階で表現されてもよい。確実性段階のレベルの数は、人の選択肢の数を制限し、人が多すぎる選択肢で混乱することを避けるために、５以下が有利である。
【００４２】
確実性データは、主観的確信レベルに対応してもよい。つまり、確実性データは、人によって直接表現された確信レベルに対応してもよい。例えば、人は、視覚アセスメントを表現する際に、視覚アセスメントに関連した確信レベルをさらに表現する。
【００４３】
本発明のある実施形態によれば、確実性データは、客観的確信度に対応してもよい。客観的確信レベルは、人の視覚アセスメントの表現の仕方から取得（例えば、測定又は決定）されてもよい。
【００４４】
例えば、確実性データは、人の音声表現の音響パラメータから確信レベルを推定するモデルに基づいてもよい。つまり、視覚アセスメントを表現する際の人の音声を解析（スペクトル又は強度）することによって、人の確信レベルを決定することが可能である。
【００４５】
確実性データは、視覚刺激が、彼／彼女に提供された後に、人が視覚アセスメントを表現するのにかかる継続時間の測定によって決定されてもよい。一般的に、人が視覚アセスメントを提供するのにかかる時間が長いほど、確信レベルは低くなり、人が視覚アセスメントを提供するのにかかる時間が短いほど、確信レベルは高くなる可能性がある。
【００４６】
本発明のある実施形態によれば、人は、圧力センサに圧力をかけることによって、視覚アセスメントを表現する。確実性データは、前記圧力センサに対して人がかけた圧力の強度の測定に基づいてもよい。
【００４７】
図１に示すように、セットアップステップ及びデータ収集ステップは、テスト光学素子のジオプトリックパラメータの値を変えることによって繰り返される。
【００４８】
セットアップステップ及びデータ収集ステップは、所定の値に等しい回数繰り返されてもよい。例えば、本発明の方法は、所定の測定数（例えば、４〜１０の測定）で実施されてもよい。
【００４９】
セットアップステップ及びデータ収集ステップが繰り返される回数は、グローバル解析ステップ中、又は中間解析ステップ中に決定される別のデータに基づいて決定されてもよい。このような実施形態の例は、本明細書においてさらに詳細である。
【００５０】
グローバル解析ステップＳ４中に、セットアップ及びデータ収集ステップ中にテストしたジオプトリックパラメータの各値に対して、人の確信度の値が決定される。人の確信度の値は、人のジオプトリックパラメータ（例えば、人に提供される眼科用レンズのジオプトリックパラメータ）の値を決定するために処理される。
【００５１】
テストしたジオプトリックパラメータの所与の値に対する人の確信度の値は、前記テストしたジオプトリックパラメータに関して収集された確信データの平均値に対応してもよい。例えば、セットアップステップ及びデータ収集ステップを繰り返すときに、テストしたジオプトリックパラメータの異なる値を複数回テストし、テスト毎に、確信データが収集される。確信度は、このような収集データの組み合わせに基づいて決定されてもよい。
【００５２】
例えば、ジオプトリックパラメータの各値に対して、人の確信度の値が、ジオプトリックパラメータの当該値に関して収集された確信データの平均値として決定される。
【００５３】
データ収集ステップ中に収集されたデータは、確信範囲を決定するためにさらに解析されてもよい。確信範囲は、人の確信度が、所定の値の範囲内（例えば５０％以内）であるジオプトリックパラメータの値の範囲に対応する。一般的に、確信範囲は、人が視覚変化をアセスメントしないジオプトリックパラメータの値の範囲に対応する。
【００５４】
確信範囲を使用して、人に提供される眼科用レンズのジオプトリックパラメータの値を決定することができる。
【００５５】
例えば、グローバル解析ステップ中に、確信範囲の下限及び上限に対応する第１のジオプトリックパラメータ値及び第２のジオプトリックパラメータ値が決定される。人に提供される眼科用レンズのジオプトリックパラメータの値は、第１及び第２のジオプトリックパラメータ値から決定され、例えば、前記ジオプトリックパラメータの値は、第１及び第２のジオプトリックパラメータ値の平均値に基づいて決定される。
【００５６】
人に提供される眼科用レンズのジオプトリックパラメータの値はさらに、ジオプトリックパラメータのテスト値及び確信度の事前に規定された値に従った確信度の代表曲線に基づいて決定されてもよい。
【００５７】
確信度の代表曲線は、人に提供される眼科用レンズのジオプトリックパラメータの値を決定するように補間されてもよい。
【００５８】
グローバル解析ステップは、前記確信度の代表曲線にパラメータ関数をフィッティングさせることをさらに含んでもよい。その場合、人のジオプトリックパラメータの値は、前記フィッティングされたパラメータ関数のパラメータから決定されてもよい。
【００５９】
セットアップステップ及びデータ収集ステップは、少なくとも、人の確信度の少なくとも３つの異なる値を取得するまで、繰り返されてもよい。
【００６０】
図１に示すように、本発明の方法は、セットアップステップ及びデータ収集ステップと共に繰り返される中間解析ステップＳ３をさらに含んでもよい。
【００６１】
中間解析ステップＳ３中に、次のセットアップステップ中に人に提供されるテスト光学素子のジオプトリックパラメータの値を決定するために、少なくとも評価データが解析される。
【００６２】
例えば、二色テスト（本明細書において、後に記載）を用いて、人の答えが、赤色の視対象を好むことから、緑色の視対象を好むことへ変化した場合、２つのセットアップステップ間の球面度数の値の変化の方向を逆にしてもよい。
【００６３】
本発明のある実施形態によれば、セットアップステップ及び収集ステップは、少なくとも、ジオプトリックパラメータの２つの連続する値間の差が、所定の値（例えば、０．０６２５Ｄ）以下となるまで繰り返される。
【００６４】
本発明の意味では、「ジオプトリックパラメータの２つの連続する値」は、本発明の方法の２つの連続するセットアップステップにおけるテスト光学素子のジオプトリックパラメータの値として理解されるものとする。
【００６５】
本発明の別の実施形態によれば、セットアップステップ及び収集ステップは、少なくとも、２つの後続のセットアップステップ間のジオプトリックパラメータの値の変化の方向の回数が、所定の数（例えば、２、４、又は６）に達するまで繰り返される。
【００６６】
中間解析ステップ中の本発明の方法の効率を向上させるために、次のセットアップステップ中に人に提供されるテスト光学素子のジオプトリックパラメータの値が、確実性データを解析することによってさらに決定される。
【００６７】
例えば、二色テストを用いて、人の２つの連続する答えが、赤色の視対象を好むことから緑色の視対象を好むことに変化したが、緑色の視対象を好むことを示す最後の答えが、人がそのアセスメントに確信を持てないことを示す確実性データと関連付けられる場合、２つのセットアップステップ間の球面度数の値の変化の方向は、人の視覚アセスメントが変化したにもかかわらず維持されてもよい。
【００６８】
ジオプトリックパラメータの対応するテスト値に関する確信度の中間値が、中間解析ステップ中に決定されてもよい。確信度の中間値は、前記ジオプトリックパラメータのテスト値に関して収集された全ての以前の確実性データに基づいてもよい。確信度に関しては、確信度の中間値は、確実性データの平均値として決定されてもよい。
【００６９】
さらに、中間確信範囲が決定され、中間確信範囲は、人の中間確信度が所定の値の範囲内にあるジオプトリックパラメータの値の範囲に対応する。
【００７０】
次のセットアップステップ中に人に提供されるテスト光学素子のジオプトリックパラメータの値はさらに、確信度の中間値及び／又は中間確信範囲に基づいてもよい。
【００７１】
例えば、セットアップステップ及び収集ステップは、少なくとも、２つの連続する中間確信範囲間の差が所定の値（例えば、０．０６２５Ｄ）以下となるまで、繰り返される。
【００７２】
本発明の意味では、「２つの連続する中間確信範囲」は、２つの連続する中間解析ステップＳ３において決定される中間確信範囲として理解されるものとする。
【００７３】
図２は、次のセットアップステップ中に人に提供されるテスト光学素子のジオプトリックパラメータの値の決定の一例を示す。
【００７４】
本発明の一実施形態による解決策は、テストしたジオプトリックパラメータの値の反転毎に、人の中間確信範囲の位置及びサイズ、すなわち、高レベル及び低レベル位置、又は言い換えれば、「分からない」という答えの上限及び下限を推定することである。
【００７５】
２つの連続するセットアップステップにおけるテスト光学素子のジオプトリックパラメータの値間の差異は、人の中間確信範囲のサイズに適応させてもよく、一般的に、この差異は、人の中間確信範囲の推定サイズの半分、あるいは最終的に、より迅速な推定又はより優れた推定のために、適応比で乗算又は除算したサイズに等しく調節される。
【００７６】
テストしたジオプトリックパラメータの値の反転毎に、人の中間確信範囲の位置及びサイズを推定するために、以下のように、あり得る値毎に、答えの確率を決定してもよい：
−  各テスト値に対して、答え１（レンズ１又は赤色…）の場合、＋１をカウントし、答え２（レンズ２又は緑色…）の場合、−１をカウントし、「分からない」の場合、０をカウントする。
−  次いで、ステップ関数、一次関数、シグモイド関数、多項式関数、又はその他の種類の関数を用いて、テスト値間の答えを補間してもよい。
【００７７】
例えば、ステップ補間を用いて、高反転−ステップ／２を上回る全ての値に対して＋１をカウントし、低反転＋ステップ／２を下回る全ての値に対して−１をカウントする。次いで、各テスト値の−ステップ／２と＋ステップ／２との間の全ての値に対して答えを補間する。
【００７８】
この場合、各値の答えの確率は、各値当たりの最大カウントで除算されたカウント数でもよい。これにより、−１００％〜＋１００％の数が得られる。
【００７９】
中間確信範囲は、中間確信度が−５０％及び＋５０％にある２つの限界である高レベル及び低レベルによって定義されてもよい。人の確信又は感度の範囲は、中間確信範囲の半分に定義されてもよい。最終値は、０％の中間確信範囲の中心である。
【００８０】
反転は、人の答えから推論された、テストしたジオプトリックパラメータの変化の方向が、増加から減少へ、又はその逆に変化している（反転した）比較点である。
【００８１】
各反転後に、中間確信度が、テストしたジオプトリックパラメータの変化の全範囲に対して再評価されてもよい。人の感度の新しい推定及び最良のパラメータ値を見つけることができる。この手順を用いて、人によって表現される全ての答えが、最終値及び最良パラメータ推定に寄与する。
【００８２】
確信範囲の最初の推定後に、確信範囲内の反転は、思い付きの答えの影響を取り除き、確信の実際の範囲の全てが評価されることを確実にするために、キャンセルされてもよい。
【００８３】
試行は、人が現在の値が許容できるかどうかを評価する基本プロセスであり、通常、受容性を向上させるために、それに基づいて我々が変化の正しい方向を推論する１つの比較によって行われない。
【００８４】
差異は、２つの連続したセットアップステップ間のテストしたジオプトリックパラメータの値に加えられる変化である。各反転後に、差異は、人の感度、最小及び最大変化、及び許容される最小値からの係数（ｓｔｅｐ＿ｒａｔｉｏ）によって適応される。
【００８５】
例えば、ジャクソンクロスシリンダーの場合、レンズ１又はレンズ２を好むこと、又は二色テストの場合、赤色又は緑色を好むことは、適用すべき変化の方向を与えることができる。
【００８６】
人の答えは、一般的に、３種類（レンズ１（又は位置１／赤色／右、上、…）、レンズ２（又は位置２／緑色／左／下、…）、「分かりません」／「違いがない」）あり、及び３タッチパッドを用いて、又はホイールパッドをクリックすることで（クリックすることによる左／右＋分からない）、又は口頭の答えを録音するマイクロホン又はその他のインタフェースを用いて回収することができる。代替的に、答えは、ＥＣＰによって記録されてもよい。
【００８７】
要求される答えは、所与の範囲［−ｎ；ｎ］内の確信レベルを含む、より完全なものであってもよい。
【００８８】
例えば、［−２；−１；０；＋１；＋２］：−２は、確実なレンズ１の選択であり、−１は、確信が持てないレンズ１の選択であり、０は、分からないであり、＋１は、確信が持てないレンズ２の選択であり、＋２は、確実なレンズ２の選択である。
【００８９】
一般的に、答えの数は、５つの確信レベル（２つの選択（レンズ１／レンズ２、位置１／位置２、赤色／緑色、左／右、…）と組み合わせた、確信している、ほぼ確信している、確信が持てない、たぶん、分からない）を含んでもよいが、これらに限定されない。
【００９０】
人は、たった２つの可能な答え：レンズ１（＋１）又はレンズ２（−１）を持つ。他の確信データが収集されない場合には、同じパラメータ値に対して、少なくとも二度このテストを行い、同じジオプトリックパラメータ値に対して与えられた答え間の相違から確信データを決定することが提案される。
【００９１】
例えば、各パラメータが３回テストされる場合、もし全ての答えが、レンズ１であれば、不確実性は、＋１（１／３＋１／３＋１／３）であり、もし２つの答えが、レンズ１であり、且つ１つの答えが、レンズ２であれば、不確実性は、１／３（１／３＋１／３−１／３）である。このような実施形態例を図３に示す。
【００９２】
３つのテストのそれぞれに対して答えが同じであるジオプトリックパラメータの値の範囲から、確信度を決定することも可能であり、このような範囲は、図３における点線である。
【実施例】
【００９３】
初期値
一般的に、ジオプトリックパラメータの初期値は、自動屈折計（例えば、ＮｉｄｅｋのＡＫＲ／ＡＲＫシステム、又はＴｏｐｃｏｎのＫＲ／ＲＭシステム）、又は検影法を用いて行われる客観的計測から、又はレンズメータを備えた現在の機器によって測定された習慣的な矯正から導出される。
【００９４】
好ましい初期値は、円柱度数及び軸度の場合、自動屈折計によるものであり、球面度数の場合、検眼士又はＥＣＰによって行われるフォグ／デフォグ手順によるものである。
【００９５】
２つのテスト値間の差異に関する初期値は、通常、０．２５Ｄであるが、高次収差（ＨＯＡ）、収差計によるＲＭＳレベル、ぼやけ検出閾値、又は二色テストを用いて、又は表示させた字を用いて測定されるジオプトリック感度などの人の感度の予備測定から導出されてもよい。
【００９６】
ぼやけに対する人の感度を決定する実施例
普通に照明をつけた室内で、人が、スクリーンから６メートルの所に座る。
【００９７】
人は、通常の眼科矯正（例えば、通常の眼科用レンズ）を使用する。
【００９８】
以下の指示の人の理解を確認する。「字があなたに提示されます。それらの字は、鮮明で、次第にぼやけていきます。例えば、キーボードを使用して、あなたにとって、ぼやけが何時容認できなくなったかを我々に教えてくれるようにお願いします。これは、もし永久的にそれを受けるとすれば、あなたが耐えることを拒むぼやけの量です。最初の容認できないぼやけ値を示すようにお願いします。次に、文字は、ぼやけて提示され、それらの文字は、次第に鮮明になっていきます。例えば、キーボードを使用して、何時字が鮮明になったかを我々に教えてくれるようにお願いします。」
【００９９】
１Ｄの変化を許容する、画像を表示する２０〜４０秒の任意の時間を選択する。
【０１００】
画像表示は、次第にぼやけるが、例えば＜０．０５Ｄの検出不能な差異を有してぼやける。
【０１０１】
人は、ぼやけを検出したことを報告する。
【０１０２】
ぼやけを減少させることによって第２の測定を行い、人は、何時ぼやけが見えなくなったかを報告するものとする。
【０１０３】
これらのステップを３回繰り返してもよい。
【０１０４】
二色テストの実施例
人は、スクリーンから６メートルの所に座る。
【０１０５】
人は、通常の眼科矯正（例えば、通常の眼科用レンズ）を使用する。
【０１０６】
１組の二色対象を提供する。
【０１０７】
人の左眼を隠す。
【０１０８】
０．１２Ｄの矯正球面度数値を人の右眼に加える。
【０１０９】
「彼／彼女が、赤色の視対象と、緑色の視対象との間に差を認めるか否か」を人に尋ねる。
【０１１０】
人の答えを収集する。
【０１１１】
−０．１２Ｄの矯正球面度数値を人の右眼に加える。
【０１１２】
「彼／彼女が、赤色の視対象と、緑色の視対象との間に差を認めるか否か」を人に尋ねる。
【０１１３】
人の答えを収集する。
【０１１４】
人が差を検出しなければ、±０．２５Ｄを用いて、これらのステップを繰り返す。
【０１１５】
人の左眼で、これらのステップを繰り返す。
【０１１６】
ジャクソンクロスシリンダープロトコルの実施例
円柱度数矯正を評価するために、円柱度数及び軸度が、ベクトル的に連続してテストされるジャクソンクロスシリンダー（ＪＣＣ）プロトコルを使用することが推奨される。従って、軸度は、円柱度数と同じ大きさを有するベクトル成分に換算して変換される（Ｊ０〜Ｊ４５のベクトル表現を参照）。この表現では、円柱度数は、そのモジュールが円柱度数に等しく、及びその配向が円柱角の２倍に相当するベクトルに対応する。各成分は、別々にテストされる。
【０１１７】
方向は、以下のように、人の答えから推論される：
レンズ１が好まれる場合、テストした成分を増加する。
レンズ２が好まれる場合、テストした成分は、減少である。
【０１１８】
ＣＣ値（ｖａｌ＿ＣＣ）は、ＪＣＣ手順に使用される円柱度数に対応する：
−  ヌル等価球面度数
−  ＋／−ｖａｌ＿ＣＣの度数（すなわち、２×ＣＣ＿ｖａｌｕｅの円柱度数）
Ｖａｌ＿ＣＣ＝０．３３Ｄが推奨されるが、このパラメータを０．１２〜１Ｄに変更することが許されるものとする。
【０１１９】
このプロセス全体にわたり、等価球面度数は、一定に維持される。
【０１２０】
もし可能であれば、人の答えは、３種類の答え：レンズ１（又は左）、レンズ２（又は右）、「分からない、又は同じ」（中央、又は右及び左の両方）を許容する、キーパッド又はその他を用いて直接登録されるものとする
【０１２１】
レンズ１からレンズ２へ進むことを許すためには、追加のプロセスが必要とされる。以前のキー又は組み合わせの何れかが使用されてもよい
【０１２２】
ある代替方法は、人が、代替的にレンズ１からレンズ２へ進み、好ましいレンズ（一方の答え）で停止し、又は「分からない」を選択したでもよい。
【０１２３】
「分からない」という答えは、答えにおける反転に関するあらゆる処理の前には、「最後の答えと同じ答え」と解釈される。
【０１２４】
最初の答えが、「分からない」である場合、初期値の変更が要求され、例えば、検眼士は、初期値を調節すること、又は一方の方向及び他方の方向を代替的に試すことを求められる。
【０１２５】
答えが考慮されたという人に対するフィードバックとして、音が鳴らされてもよい。表示又は音のフィードバックは、現在レンズ１か、それともレンズ２が示されているかを人に示す（例えば、選択された場合に、答えの横に対応する左又は右側にサイン／バーを表示する）。
【０１２６】
表示される刺激は、一般的にＪＣＣ手順に使用されるマルタポイント（Ｍａｌｔｅｓｅ  ｐｏｉｎｔ）でもよい。
【０１２７】
一般的な発明概念を限定することなく実施形態を用いて、上記に本発明を説明した。
【０１２８】
単なる例として提供され、且つ添付の特許請求の範囲によってのみ決定される本発明の範囲を限定することが意図されない上述の例示的実施形態を参照すれば、さらに多くの変更形態及び変形形態が、当業者に示唆されるであろう。
【０１２９】
クレームでは、「含む（ｃｏｍｐｒｉｓｉｎｇ）」という単語は、他の要素又はステップを除外せず、不定冠詞「ａ」又は「ａｎ」は、複数を除外しない。異なる特徴が、相互に異なる従属クレームに記載されているという単なる事実は、これらの特徴の組み合わせを有利に使用することができないことを示さない。クレーム中の参照符号は、本発明の範囲を限定するものと解釈されるものではない。
【図１】
2019523050.tif 000003
【図２】
2019523050.tif 000004
【図３】
2019523050.tif 000005
【国際調査報告】
2019523050.tif 000006